(57)【要約】【課題】煩雑な設定操作をすることなく、画質の選択を行う。【解決手段】撮像装置１の設定情報読込手段１ｃは、撮影した画像情報を記録する画像記録媒体２の設定情報記録手段２ａに記録される特定の画質を得るための設定値が登録された特定設定情報を読み出す。制御手段１ｂは、読み出された特定設定情報に基づき、撮像手段１ｄ及び画像信号処理手段１ｅに関する設定情報を更新する。これにより、撮像手段１ｄ及び画像信号処理手段１ｅは、特定の画質を得るための特定設定情報に基づき動作するため、特定の画質が得られるようになる。【選択図】図１
2007312008.tif 000002
【特許請求の範囲】
【請求項１】
撮影画像の画質を決める設定情報に基づいて動作する撮像装置において、
前記設定情報に応じて撮像処理を行う撮像手段と、
前記設定情報に応じて前記撮像手段が撮影した画像信号の信号処理を行う画像信号処理手段と、
特定の画質を得るための設定値が登録された特定設定情報が格納される設定情報記録手段と、撮影された画像データを含む画像情報が記録される画像情報記録手段とを具備する画像記録媒体が接続されている状態で読み出し要求が入力された場合に、前記画像記録媒体の前記設定情報記録手段に格納される前記特定設定情報を読み込む設定情報読込手段と、
前記設定情報読込手段が読み込んだ前記特定設定情報に基づいて、前記撮像手段及び前記画像信号処理手段に関する前記設定情報を読み込まれた前記特定設定情報の値に変更するとともに、前記撮像手段及び前記画像信号処理手段を制御する制御手段と、
を具備することを特徴とする撮像装置。
【請求項２】
前記撮像装置は、さらに、
前記画像記録媒体が接続されたかどうかを判断する接続検出手段を具備し、
前記接続検出手段によって新たに前記画像記録媒体が接続されたことが検出された場合に、前記設定情報読込手段は、前記特定設定情報の読み込みを行い、前記制御手段は、前記設定情報読込手段によって新たに読み込まれた前記特定設定情報に基づく前記設定情報の変更を行う、
ことを特徴とする請求項１記載の撮像装置。
【請求項３】
撮影画像の画質を決める設定情報に基づいて動作する撮像装置が生成した画像データを含む画像情報を記録する画像記録媒体において、
前記撮像装置が、前記撮像装置の画像情報書込手段を介して書き込みを行う前記画像情報を記録する画像情報記録手段と、
前記撮像装置が前記設定情報を設定する際に、前記撮像装置の設定情報読込手段によって読み出される特定の画質を得るための設定値が登録される特定設定情報を記録する設定情報記録手段と、
を具備することを特徴とする画像記録媒体。
【請求項４】
前記画像記録媒体は、
本体表面に、または本体表面あるいは本体側面に貼付されるラベルに前記設定情報を識別可能にする識別表示が施される、
ことを特徴とする請求項３記載の画像記録媒体。
【請求項５】
前記識別表示が、前記画像記録媒体を被うパッケージに施されることを特徴とする請求項４記載の画像記録媒体。
【請求項６】
前記設定情報記録手段は、前記画像情報記録手段の一部に設けられることを特徴とする請求項３記載の画像記録媒体。
【請求項７】
前記設定情報記録手段は、前記画像記録媒体内部に前記画像情報記録手段が形成される記録媒体とは別の記録媒体上に設けられることを特徴とする請求項３記載の画像記録媒体。
【請求項８】
前記設定情報記録手段は、前記画像記録媒体の本体表面または本体側面に貼付されるラベルの一部として設けられることを特徴とする請求項３記載の画像記録媒体。
【請求項９】
前記設定情報記録手段には、フィルムカメラに用いられたフィルムのフィルム特性に応じて設定される前記特定設定情報が前記フィルムの識別情報に関連付けて格納される、
ことを特徴とする請求項３記載の画像記録媒体。
【請求項１０】
撮影画像の画質を決める設定情報に基づいて動作する撮像装置の撮影画質を設定する撮影画質設定方法において、
前記撮像装置の設定情報読込手段が、前記撮像装置が生成する画像データを含む画像情報が記録される画像情報記録手段と、特定の画質を得るための設定値が登録された特定設定情報を記録する設定情報記録手段とを具備する画像記録媒体が接続されている状態で読み出し要求が入力された場合に、前記画像記録媒体の前記設定情報記録手段に格納される前記特定設定情報を読み込むステップと、
制御手段が、特定設定情報読込手段が読み込んだ前記特定設定情報に基づいて、撮像処理を行う撮像手段と、前記撮像手段により撮影された画像信号を処理する画像信号処理手段に関する前記設定情報の値を読み込まれた前記特定設定情報の値に変更するとともに、前記撮像手段及び前記画像信号処理手段を制御するステップと、
を有することを特徴とする撮影画質設定方法。
【発明の詳細な説明】
【技術分野】
【０００１】
本発明は撮像装置及び画像記録媒体並びに撮影画質設定方法に関し、特に撮影画像の画質を決める設定情報に基づいて動作する撮像装置、この撮像装置が生成した画像情報を記録する画像記録媒体、及びこの撮像装置の撮影画質を設定する撮影画質設定方法に関する。
【背景技術】
【０００２】
従来、映画フィルムカメラや、銀塩スチルカメラによる撮影では、撮影者は、多種販売されているフィルムを選択することによって、意図する画質の設定を行っていた。
映画フィルムカメラや銀塩スチルカメラに使用されるフィルムは、撮影日の天候や撮影する状況、あるいは、得られる画質などに応じて、それぞれに感度、タングステン・デーライト、モノクロ・カラーなど、諸特性が決められた様々な種類が販売されており、撮影者は、パッケージなどに記載されているフィルムの諸特性を参照し、所望の画質が得られるフィルムを選択していた。このように、映画フィルムカメラや銀塩スチルカメラ側で特に設定を行わなくても、フィルムを選択すれば、意図する画質を得ることができた。
【０００３】
近年、このような映画フィルムカメラや銀塩スチルカメラに代わり、デジタルシネマカメラやデジタルスチルカメラが普及しつつある。デジタルシネマカメラやデジタルスチルカメラでは、感度・色温度などの諸特性をそれぞれ個別に設定することによって、所望の画質を得る必要がある。このため、設定しなければならない項目は多岐に渡り、その操作は煩雑であった。特に、フィルムを選択して意図する画質を得るという操作に慣れている撮影者にとって、個々の設定項目を設定するという操作は、従来のフィルムの選択操作とは大きく異なるため、意図した画質を得ることが難しかった。
【０００４】
そこで、デジタルシネマカメラやデジタルスチルカメラ用の撮影状況に応じたパラメータ群を予め所定の記憶部に複数格納しておき、撮影者に所望のパラメータ群を選択させることにより、画質を調整する画像調整方法が提案されている（たとえば、特許文献１参照）。
【特許文献１】特開２００４−１７９８８３号公報
【発明の開示】
【発明が解決しようとする課題】
【０００５】
しかし、従来のデジタルシネマカメラやデジタルスチルカメラの撮影画質設定方法では、所望の画質を得るためには、予め用意された複数のパラメータ群からの選択・登録操作を行わなければならないという問題点があった。
【０００６】
従来の画質設定では、カメラ本体の記憶部、または、カメラに着脱可能な半導体メディアなどの記録媒体に複数のパラメータ群が格納されていた。所望の画質を得るためには、表示装置などに表示されるメニューなどでそのパラメータ群を読み出し、所望のパラメータ群を選択して、その設定を装置に反映させる必要があった。特許文献１の方法では、このメニューに、たとえば、「Ａ社ＸＸ１」、「Ｂ社ＹＹＹ」のようなフィルムの銘柄を表示させることが開示されている。しかしながら、メニューから所望のフィルム銘柄を探し出し、選択操作を行わなければならないという、操作の煩わしさは解消されない。
【０００７】
また、選択は、カメラ本体、または着脱可能な記録媒体に登録された設定の中から行わなければならない。したがって、選択肢を広げるためには、より多くのパラメータ群を用意しておく必要があるが、パラメータ群の数が多くなるほど、記憶容量が大きくなるほか、選択操作が煩雑になるという問題点がある。また、一般に、一人の撮影者が選択するパラメータ群は、撮影者の好みなどにより限られたものになる場合が多い。このため、実際には使用されないパラメータ群でカメラ本体の記憶部または着脱可能な記録媒体の記憶領域が使われてしまうという問題点もある。
【０００８】
本発明はこのような点に鑑みてなされたものであり、従来のフィルムを選択して画質を選択するような、煩雑な設定操作をすることなく、画質の選択が可能な撮像装置及び撮像情報記録媒体並びに撮影画質設定方法を提供することを目的とする。
【課題を解決するための手段】
【０００９】
本発明では上記課題を解決するために、撮影画像の画質を決める設定情報に基づいて動作する撮像装置において、撮像手段と、画像信号処理手段と、設定情報読込手段と、制御手段と、を具備する撮像装置、が提供される。撮像手段は、設定情報に応じて撮像処理を行う。画像信号処理手段は、設定情報に応じて撮像手段が撮影した画像信号の信号処理を行う。設定情報読込手段は、特定の画質動作を得るための設定値が登録された設定値が登録された特定設定情報が格納される設定情報記録手段と、撮影された画像データを含む画像情報が記録される画像情報記録手段とを具備する画像記録媒体が接続されている状態で読み出し要求が入力された場合に、画像記録媒体の設定情報記録手段に格納される特定設定情報を読み込む。制御手段は、設定情報読込手段が読み込んだ特定設定情報に基づいて、撮像手段及び画像信号処理手段に関する特定情報の値を読み込んだ特定設定情報の値に変更するとともに、撮像手段及び画像信号処理手段を制御する。
【００１０】
このような撮像装置によれば、設定情報読込手段は、撮影した画像情報を記録する画像記録媒体の設定情報記録手段に記録される特定の画質を得るための設定値が登録された特定設定情報を読み出す。制御手段は、読み出された特定設定情報に基づき、撮像手段及び画像信号処理手段に関する設定情報を更新する。これにより、撮像手段及び画像信号処理手段は、特定設定情報に基づき動作するため、以降、設定された特定の画質の画像情報が得られるようになる。なお、異なる画質特性の特定設定情報が設定情報記録手段に記録された画像記録媒体が接続されれば、その特定設定情報に応じた画質が得られる。
【００１１】
また、上記課題を解決するために、撮影画像の画質を決める設定情報に基づいて動作する撮像装置が生成した画像データを含む画像情報を記録する画像記録媒体において、撮像装置が、撮像装置の画像情報書込手段を介して書き込みを行う画像情報を記録する画像情報記録手段と、撮像装置が設定情報を設定する際に、撮像装置の設定情報読込手段によって読み出される特定の画質を得るための設定値が登録される特定設定情報を記録する設定情報記録手段と、を具備することを特徴とする画像記録媒体、が提供される。
【００１２】
このような画像記録媒体には、撮像装置が生成した画像情報を記録する画像記録手段とともに、記録される画像について、撮像者が意図する特定の画質を得るための特定設定情報が記録される設定情報記録手段が具備される。この画像記録媒体が接続された撮像装置は、設定情報読込手段によって設定情報記録手段から特定設定情報を読み出し、撮像手段及び画像信号処理手段に関する設定情報を特定設定情報の値に変更する。これにより、所望の特定設定情報が格納される画像記録媒体を撮像装置に接続すれば、撮像装置によって所望の画質の画像情報が生成され、画像情報記録手段に記録される。
【００１３】
また、上記課題を解決するために、撮影画像の画質を決める設定情報に基づいて動作する撮像装置の撮影画質を設定する撮影画質設定方法において、撮像装置の設定情報読込手段が、撮像装置が生成する画像データを含む画像情報が記録される画像情報記録手段と、特定の画質を得るための設定値が登録された特定設定情報を記録する設定情報記録手段とを具備する画像記録媒体が接続されている状態で読み出し要求が入力された場合に、画像記録媒体の設定情報記録手段に格納される特定設定情報を読み込むステップと、制御手段が、設定情報読込手段が読み込んだ特定設定情報に基づいて、撮像処理を行う撮像手段と、撮像手段により撮影された画像信号を処理する画像信号処理手段に関する設定情報の値を読み込まれた特定設定情報の値に変更するとともに、撮像手段及び画像信号処理手段を制御するステップと、を有することを特徴とする撮影画質設定方法、が提供される。
【００１４】
このような撮影画質設定方法によれば、撮影装置が生成した画像情報を記録する画像情報記録手段を具備する画像記録媒体に用意された設定情報記録手段には、特定の画質を得るための設定値が登録された特定設定情報が記録されている。撮像装置は、画像記録媒体が接続され、読み込み要求が入力されると、設定情報記録手段から特定設定情報を読み出し、特定設定情報に応じて撮像手段及び画像信号処理手段に関する設定情報を変更する。これにより、所望の撮影画質を得るための設定情報が撮像装置に設定される。
【発明の効果】
【００１５】
本発明では、撮影された画像情報を記録する画像情報記録媒体に、撮影画像の画質を決める所定の設定情報を記録する設定情報記録手段を設け、特定の画質を得るための設定値が登録される特定設定情報を記録しておく。たとえば、各々異なる特性の画質を実現する特定設定情報を記録する画像情報記録媒体を予め複数用意しておけば、撮影者は、所望の画質を実現する特定設定情報が記録された画像情報記録媒体を選択することができる。撮像装置は、接続された画像情報記録媒体から設定情報を読み出し、設定情報を撮像手段や画像信号処理手段に反映させる。
【００１６】
これにより、撮影者は、意図する画質を得ることができる特定設定情報が記録された画像情報記録媒体を選択し、撮像装置に接続すれば、撮像装置側の設定を行うことなく、所望の画質の画像を得ることができる。
【発明を実施するための最良の形態】
【００１７】
以下、本発明の実施の形態を図面を参照して説明する。まず、実施の形態に適用される発明の概念について説明し、その後、実施の形態の具体的な内容を説明する。
図１は、実施の形態に適用される発明の概念図である。
【００１８】
本発明に係る撮像装置１は、撮影画像の画質を決める設定情報に基づいて動作しており、撮影した画像データを含む画像情報は、交換可能な画像記録媒体２に書き込む。
この撮像装置１は、画像記録媒体２の接続を検出する接続検出手段１ａ、装置全体を制御する制御手段１ｂ、画像記録媒体２に格納される特定設定情報を読み込む設定情報読込手段１ｃ、設定情報に従って撮像処理を行う撮像手段１ｄ、設定情報に従って画像信号処理を行う画像信号処理手段１ｅ、画像情報を画像記録媒体２に書き込む画像情報書込手段１ｆ、及び所定の情報を表示させる表示処理手段１ｇを有する。また、画像記録媒体２は、設定情報記録手段２ａ、画像情報記録手段２ｂを具備する。
【００１９】
まず、画像記録媒体２の各手段について説明する。
設定情報記録手段２ａは、特定の画質を得るための設定値が登録された特定設定情報が格納される。特定設定情報には、画質を決める設定項目、たとえば、ホワイトバランス、モノクロ／カラー、感度、ガンマ特性などについて、特定の画質を得ることができる設定値が登録されている。また、設定情報記録手段２ａに記録される特定設定情報は、１種類だけである。したがって、従来のフィルムカメラに対し、フィルム特性の異なる複数種類のフィルムが用意されたように、設定値の異なる特定設定情報を記録する画像記録媒体２が複数用意される。特性設定情報には、たとえば、従来のフィルム特性に応じて、得られる画質がフィルム特性に似るような設定値が登録される。
【００２０】
画像情報記録手段２ｂは、接続した撮像装置１が生成した画像情報を格納する。また、図示していないが、格納する画像情報を撮像装置１から読み出すことができるようにすることもできる。
【００２１】
このような画像記録媒体２は、磁気テープ、磁気ディスク、光ディスク、半導体メモリなど、任意の記録メディアで構成される。撮像装置１に着脱可能で、使用する画像記録媒体２は必要に応じて交換される。また、設定情報記録手段２ａと、画像情報記録手段２ｂが、同一の記録メディアで構成される必要はない。構成例は、後述する。
【００２２】
なお、上述のように、画像記録媒体２は、設定情報記録手段２ａに格納される特定設定情報が異なる複数種類が用意されるため、外部からこれを区別できるようにする。このため、画像記録媒体２の本体表面または側面、画像記録媒体２の包装パッケージなどに、設定情報記録手段２ａに格納される特定設定情報を識別可能にする識別表示を施す。識別情報を印刷したラベルを本体表面または側面に貼付してもよい。識別表示では、たとえば、特性設定情報に登録される設定項目の値をラベルやパッケージに記載する。また、フィルム特性に似せて特定設定情報を登録しているような場合、フィルム特性を似せたフィルムの銘柄などを記載してもよい。また、特定設定情報の所定の項目の種別（たとえば、感度の違い）に応じて、ラベルまたはパッケージの色や形状、模様などを変える。そのほか、視覚的に格納される特定設定情報を区別する手法は、多種存在する。本実施の形態では、そのうちの任意の手法を用いるとする。
【００２３】
次に、撮像装置１の各手段について説明する。
接続検出手段１ａは、画像記録媒体２が接続しているかどうかを判断し、新たに接続された場合は、制御手段１ｂに通知する。また、接続しているかどうかを常に制御手段１ｂに通知するようにしてもよい。
【００２４】
制御手段１ｂは、装置全体を制御する。接続検出手段１ａにより新たに画像記録媒体２が接続されたことが通知されると、設定情報読込手段１ｃを介して画像記録媒体２の設定情報記録手段２ａに格納される特定設定情報を読み込む。なお、スイッチなどにより入力される撮影者からの要求により、設定情報の読み込みを開始してもよい。そして、特定設定情報が読み込まれたら、撮像手段１ｄ及び画像信号処理手段１ｅに関する設定情報のデータを特定設定情報に登録される設定値に変更する。また、撮像手段１ｄ、画像信号処理手段１ｅ、画像情報書込手段１ｆ、及び表示処理手段１ｇの動作の開始や終了の制御などを行う。
【００２５】
設定情報読込手段１ｃは、制御手段１ｂからの指示に従って、画像記録媒体２の設定情報記録手段２ａに格納される特定設定情報を読み込む。なお、読み込みは、接続検出手段１ａが接続を検出したときに、自動的に行ってもよい。
【００２６】
撮像手段１ｄは、制御手段１ｂにより設定された設定情報に応じて撮像処理を行う。
画像信号処理手段１ｅは、制御手段１ｂにより設定された設定情報に応じて、撮像手段１ｄが生成した画像信号を処理し、画像データを含む画像情報を生成する。
【００２７】
画像情報書込手段１ｆは、制御手段１ｂからの指示に従って、画像信号処理手段１ｅが生成した画像情報を画像記録媒体２の画像情報記録手段２ｂに書き込む。
表示処理手段１ｇは、制御手段１ｂの指示に従って、画像情報に基づく画像や、設定情報の内容などを表示画面に表示させる。
【００２８】
このような構成の撮像装置１及び画像記録媒体２の動作及び撮影画質設定方法について説明する。
画像記録媒体２の設定情報記録手段２ａには、特定の画質を得るための設定値が登録された特定設定情報が格納されており、撮影者は、画像記録媒体２に貼付されているラベルや、包装パッケージなどで意図する画質を得る特定設定情報が記録される画像記録媒体２を選択する。選択した画像記録媒体２を撮像装置１に接続すると、撮像装置１では、接続検出手段１ａが、画像記録媒体２が接続されたことを検出し、制御手段１ｂへ通知する。制御手段１ｂは、設定情報読込手段１ｃを介して接続された画像記録媒体２の設定情報記録手段２ａに記録される特定設定情報を読み込む。そして、読み込んだ特定設定情報の設定値を自装置の設定情報に反映する。これにより、以降、撮像手段１ｄ及び画像信号処理手段１ｅは、特定設定情報に基づく処理を実行するため、撮影者が意図する画質の画像情報が生成される。生成された画像情報は、画像情報書込手段１ｆを介して画像記録媒体２の画像情報記録手段２ｂに記録される。また、撮影者からの要求が入力されれば、表示処理手段１ｇにより画像または設定情報が表示画面に表示される。これにより、撮影者は、画質や設定を確認することができる。
【００２９】
このように、本発明によれば、煩わしい設定操作を行うことなく、画像記録媒体２に記録されている特定設定情報が自動的に設定され、撮像装置１は、設定された特定設定情報に応じた画質の画像を生成する。画像記録媒体２に記録されているのは、１種類の特定設定情報であるので、メニューによる設定の選択などの煩わしい操作が必要なくなる。たとえば、フィルム特性に合わせて、記録される特定設定情報の異なる画像記録媒体２を用意しておけば、撮影者は、従来のフィルム選択と同様に、意図する画質が得られる特定設定情報が記録された画像記録媒体２を選択し、撮像装置１に装着するだけで、所望の撮影画質を得ることができる。
【００３０】
また、特定設定情報は、画像記録媒体２に記録されるので、画像記録媒体２の生産時などに、任意の特定設定情報を登録することができる。したがって、設定の選択肢を容易に増やすことができる。
【００３１】
以下、実施の形態を、撮影した画像データを含む画像情報を着脱可能な記録メディアに記録するタイプのデジタルカメラに適用した場合を例に図面を参照して詳細に説明する。なお、デジタルカメラは、動画像を撮影するデジタルシネマカメラでも、写真を撮影するデジタルスチルカメラであってもよい。
【００３２】
図２は、本発明の実施の形態のデジタルカメラの構成例を示した図である。
（Ａ）は、一体型の一例であり、（Ｂ）は、分離型の一例である。
（Ａ）一体型は、撮影を行うカメラと、記録メディアの読み出しと書き込みを行う記録装置とが一体となったカメラ１０ａである。したがって、カメラ１０ａ内に、着脱可能な記録メディアを挿入する挿入部と、読み取り及び書き込み機能を有する記録メディア読取・書込装置１１ａを有する。
【００３３】
（Ｂ）分離型は、カメラ１０ｂと、記録装置１２ｂが分離しており、カメラ１０ｂと記録装置１２ｂとの間は、通信ケーブル１３ｂによって接続されている。記録メディア読取・書込装置１１ｂは、記録装置１２ｂ側に設けられている。
【００３４】
このようなタイプでは、カメラ１０ｂを切り離して撮影を行う前に、カメラ１０ｂと記録装置１２ｂを接続し、記録メディアに記録されている特定設定情報をカメラ１０ｂ側に読み込ませる必要がある。以降の処理は、一体型と同様に実行される。
【００３５】
なお、画像信号処理をカメラ１０ａ、及び、カメラ１０ｂまたは記録装置１２ｂではなく、外部の画像処理装置などで行う場合、たとえば、画像信号を送る際に、画像信号処理に関する特定設定情報を添付すれば、同様の機能を実現することができる。
【００３６】
次に、本発明の実施の形態のデジタルカメラのハードウェア構成について説明する。
図３は、本発明の実施の形態のデジタルカメラのハードウェア構成を示したブロック図である。
【００３７】
カメラ１０は、ＣＰＵ（Central Processing Unit）１０１によって装置全体が制御されている。ＣＰＵ１０１には、バス１０７を介してＲＡＭ（Random Access Memory）１０２、ＲＯＭ（Read Only Memory）１０３、接続インタフェース１０４、駆動回路１０５、及び画像信号処理回路１０６が接続されている。
【００３８】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＲＯＭ１０３には、ＯＳやアプリケーションプログラムが格納される。接続インタフェース１０４には、記録メディア読取・書込装置１１が接続されており、ＣＰＵ１０１からの命令に従って記録メディアからのデータ読み出しとデータ書き込みを行う。記録メディア読取・書込装置１１には、撮影者が任意に選択する異なる特性設定情報が記録された記録メディアが挿入される。図の例では、ラベル「設定Ａ」が貼付された記録メディア（以下、記録メディア（設定Ａ）とする）２１、ラベル「設定Ｂ」が貼付された記録メディア（以下、記録メディア（設定Ｂ）とする）２２、及びラベル「設定Ｃ」が貼付された記録メディア（以下、記録メディア（設定Ｃ）とする）２３のいずれかが挿入される。異なるラベルの記録メディアが挿入されるごとに、カメラ１０の設定情報は変更される。駆動回路１０５は、撮像部を設定情報に基づいて駆動し、画像信号を生成する。画像信号処理回路１０６は、生成された画像信号に対し、設定情報に基づく信号処理を行う。
【００３９】
このようなハードウェア構成によって、本実施の形態の処理機能を実現することができる。すなわち、ＣＰＵ１０１は、ＲＯＭ１０３に格納されるプログラムを順次実行することにより、記録メディア読取・書込装置１１に挿入された記録メディア２１、２２、２３に記録される特定設定情報を読み出す設定情報読込手段、読み込んだ特定設定情報の値を駆動回路１０５、画像信号処理回路１０６の動作を規定する設定情報に書き込む制御手段として機能を実行する。
【００４０】
以下、本実施の形態の記録メディアについて説明する。
上述のように、記録メディアは、磁気テープ、磁気ディスク、光ディスク、半導体メモリなど、任意の記録媒体で構成することができる。
【００４１】
図４は、本実施の形態の半導体メモリにより構成される記録メディアの一例である。
半導体記憶装置２００は、図示しない内部に半導体メモリを有し、半導体メモリへの読み書きは、装置表面に設けられた読み書き端子２０２を介して行う。
【００４２】
半導体メモリの記憶領域は、特定設定情報が格納される設定情報領域と、画像情報を格納する画像記録領域とを具備し、それぞれの領域は予め固定に設定されている。カメラ１０では、予め決められている設定情報領域から特定設定情報を読み出し、自装置が使用する設定情報に設定する。
【００４３】
ラベル２０１は、本体表面に貼付され、半導体記憶装置２００に格納される特定設定情報を識別可能にする情報が記載されている。
図５は、本実施の形態の磁気テープにより構成される記録メディアの第１の例である。
【００４４】
磁気テープ記録媒体２１０は、図示しない内部に磁気テープを有している。磁気テープには、特定設定情報が格納される設定情報領域が、たとえば、テープの先頭領域に設定されている。カメラ１０は、磁気テープ記録媒体２１０が挿入されたときに、テープ先頭の設定情報領域に記録される特定設定情報を読み出し、自装置が使用する設定情報に設定する。
【００４５】
ラベル２１１ａ及びラベル２１１ｂは、本体表面に貼付され、磁気テープ記録媒体２１０に格納される特定設定情報を識別可能にする情報が記載されている。
なお、特定設定情報は、磁気テープ内に記録されるばかりでなく、たとえば、ラベル２１１ａ、またはラベル２１１ｂにＩＣチップなどを埋め込み、このＩＣチップに記録しておくこともできる。
【００４６】
図６は、本実施の形態の磁気テープにより構成される記録メディアの第２の例である。
磁気テープ記録媒体２２０には、内部に図示しない磁気テープと、半導体メモリ２２２が設けられている。磁気テープは、画像情報を記録する画像情報記録手段として機能し、半導体メモリ２２２は、特定設定情報を格納する記録領域として使用される。半導体メモリ２２２に格納される特定設定情報は、半導体メモリ読み書き端子２２３を介して読み出される。
【００４７】
ラベル２２１ａ及びラベル２２１ｂは、本体表面に貼付され、磁気テープ記録媒体２２０に格納される特定設定情報を識別可能にする情報が記載されている。
次に、記録メディア２１、２２、２３に予め記録される特定設定情報について説明する。
【００４８】
図７は、本実施の形態の特定設定情報の一例を示した図である。
図の例では、種別３１０ごとに、ホワイトバランス３２０、感度（ゲイン）３３０、ガンマ特性３４０、及び輪郭補償３５０を設定項目とし、登録される設定値が示されている。なお、「設定Ａ」は、フィルムＡの画質と同じような結果を得られるカメラ設定値であるとする。同様に、「設定Ｂ」はフィルムＢの画質、「設定Ｃ」はフィルムＣの画質と同じような結果を得られるとする。
【００４９】
たとえば、種別３１０が「標準」の記録メディアには、ホワイトバランス３２０に「デーライト」、感度（ゲイン）３３０に「標準」、ガンマ特性３４０に「標準」、そして輪郭補償３５０に「なし」が登録される。
【００５０】
また、記録メディア（設定Ａ）２１には、種別３１０が「設定Ａ」のフィルムＡと同様の結果が得られる特定設定情報（ホワイトバランス＝タングステン、感度＝４倍、ガンマ特性＝ガンマＡ、輪郭補償＝弱い）が記録されている。
【００５１】
記録メディア（設定Ｂ）２２には、種別３１０が、「設定Ｂ」のフィルムＢと同様の結果が得られる特定設定情報（ホワイトバランス＝デーライト、感度＝２倍、ガンマ特性＝ガンマＢ、輪郭補償＝強い）が記録されている。
【００５２】
記録メディア（設定Ｃ）２３には、種別３１０が、「設定Ｃ」のフィルムＣと同様の結果が得られる特定設定情報（ホワイトバランス＝タングステン、感度＝標準、ガンマ特性＝ガンマＣ、輪郭補償＝普通）が記録されている。
【００５３】
なお、ラベルが同じであれば、特定設定情報に登録される設定値は、同じになる。
図８は、特定設定情報に設定されるガンマ特性の例を示した図である。
図に示したように、「設定Ａ」の記録メディアに登録されるガンマＡ（３４１）、「設定Ｂ」の記録メディアに登録されるガンマＢ（３４２）、そして「設定Ｃ」の記録メディアに登録されるガンマＣ（３４３）のガンマ特性は異なり、それぞれ異なる画質が得られる。
【００５４】
図３に戻って、本実施の形態のカメラの動作及び撮影画質設定方法について説明する。
記録メディア（設定Ａ）２１、記録メディア（設定Ｂ）２２、及び記録メディア（設定Ｃ）２３には、各々のフィルムＡ、フィルムＢ、及びフィルムＣと同様の画質を得るための特定設定情報が記録されている。
【００５５】
撮影者は、意図する画質が得られる記録メディアを各記録メディアのラベルを参照して選択し、記録メディア読取・書込装置１１に挿入する。
たとえば、ラベルが「設定Ａ」の記録メディア（設定Ａ）２１が選択されて、記録メディア読取・書込装置１１に挿入された場合、カメラ１０は、接続インタフェース１０４を介して記録メディア（設定Ａ）２１に記録されている特定設定情報を読み出し、ＲＡＭ１０２などに用意される特定情報記憶領域に書き込む。または、特定設定情報の値を駆動回路１０５、画像信号処理回路１０６へ出力する。これにより、以降、カメラ１０は、「設定Ａ」に従って撮像処理及び画像信号処理を行うので、撮影者は、所望のフィルムＡと同様の画質を得ることができる。
【００５６】
次に、撮影者が、記録メディア（設定Ａ）２１を取り出し、記録メディア（設定Ｂ）２２を挿入すると、新たに、「設定Ｂ」の特定設定情報が読み込まれ、カメラ１０の設定情報が「設定Ｂ」の値に変更される。以降、カメラ１０は、「設定Ｂ」にしたがって撮像処理及び画像信号処理を行い、撮影者は、フィルムＢと同様の画質を得ることができる。
【図面の簡単な説明】
【００５７】
【図１】実施の形態に適用される発明の概念図である。
【図２】本発明の実施の形態のデジタルカメラの構成例を示した図である。
【図３】本発明の実施の形態のデジタルカメラのハードウェア構成を示したブロック図である。
【図４】本実施の形態の半導体メモリにより構成される記録メディアの一例である。
【図５】本実施の形態の磁気テープにより構成される記録メディアの第１の例である。
【図６】本実施の形態の磁気テープにより構成される記録メディアの第２の例である。
【図７】本実施の形態の特定設定情報の一例を示した図である。
【図８】特定設定情報に設定されるガンマ特性の例を示した図である。
【符号の説明】
【００５８】
１・・・撮像装置、１ａ・・・接続検出手段、１ｂ・・・制御手段、１ｃ・・・設定情報読込手段、１ｄ・・・撮像手段、１ｅ・・・画像信号処理手段、１ｆ・・・画像情報書込手段、１ｇ・・・表示処理手段、２・・・画像記録媒体、２ａ・・・設定情報記録手段、２ｂ・・・画像情報記録手段
【図１】
2007312008.tif 000003
【図２】
2007312008.tif 000004
【図３】
2007312008.tif 000005
【図４】
2007312008.tif 000006
【図５】
2007312008.tif 000007
【図６】
2007312008.tif 000008
【図７】
2007312008.tif 000009
【図８】
2007312008.tif 000010